【手続補正書】
【提出日】平成21年7月31日(2009.7.31)
【手続補正１】
【補正対象書類名】特許請求の範囲
【補正対象項目名】全文
【補正方法】変更
【補正の内容】
【特許請求の範囲】
【請求項１】
撮影開口を有し、前面と後面と有する基板と、
前記撮影開口を遮光または開放するシャッタ羽根群と、
撮像素子の前方に配設される光学部材よりも前方に配設され、前記撮影開口に対応する開口部を有し、前記基板の後面との間で前記シャッタ羽根群を挟むように前記基板に対して取り付けられる、前面と後面とを有する後カバーと、
前記後カバーの開口部の内側に突出するように前記後カバーの後面に取り付けられた薄板状の反射防止部材とを備え、
前記反射防止部材は、前記光学部材から前記後カバーおよび前記基板に向かう反射光を遮光および吸収することによって前記反射光が再度前記光学部材へ向かって反射されることを防止することを特徴とするシャッタ装置。
【請求項２】
請求項１に記載のシャッタ装置において、
前記反射防止部材は、表面に反射防止処理が施された金属製の薄板であることを特徴とするシャッタ装置。
【請求項３】
請求項１または請求項２に記載のシャッタ装置において、
前記開口部は略長方形形状を呈し、
前記反射防止部材は、少なくとも前記開口部の長辺側に取り付けられていることを特徴とするシャッタ装置。
【請求項４】
請求項１〜３のいずれか一項に記載のシャッタ装置において、
前記後カバーの後面には、周囲の面よりも前記後カバーの前面側に向かって凹んでいる凹部が設けられ、
前記反射防止部材は、前記凹部に取り付けられていることを特徴とするシャッタ装置。
【請求項５】
請求項１〜４のいずれか一項に記載のシャッタ装置において、
前記基板は、前記撮影開口の内側に向かうにつれて前記基板の後面から前面に向かうように傾斜する第１の傾斜面を有し、前記第１の傾斜面と前記基板の前面とが交差する第１のエッジ部によって前記撮影開口を形成し、
前記反射防止部材は、前記光学部材から前記第１の傾斜面に向かう反射光を遮光および吸収することによって前記反射光が再度前記光学部材へ向かって反射されることを防止することを特徴とするシャッタ装置。
【請求項６】
請求項１〜５のいずれか一項に記載のシャッタ装置において、
前記後カバーは、前記開口部の内側に向かうにつれて前記後カバーの後面から前面に向かうように傾斜する第２の傾斜面を有し、前記第２の傾斜面と前記後カバーの前面とが交差する第２のエッジ部によって前記開口部を形成し、
前記反射防止部材は、前記光学部材から前記第２の傾斜面に向かう反射光を遮光および吸収することによって前記反射光が再度前記光学部材へ向かって反射されることを防止することを特徴とするシャッタ装置。
【請求項７】
撮像素子と、
前記撮像素子の前方に設けられる光学部材と、
前記光学部材の前方に設けられて、被写体からの光を前記撮像素子に導く撮影開口を有する基板と、
前記撮影開口を遮光または開放するシャッタ羽根群と、
前記撮影開口に対応する開口部を有し、前記基板の前記撮像素子側の面との間で前記シャッタ羽根群を挟むように前記基板に対して取り付けられる後カバーと、
前記後カバーの開口部の内側に突出するように前記後カバーの前記光学部材と対向する側の面に取り付けられた薄板状の反射防止部材とを備え、
前記反射防止部材は、前記光学部材から前記後カバーおよび前記基板に向かう反射光を遮光および吸収することによって前記反射光が再度前記光学部材へ向かって反射されることを防止することを特徴とする撮像装置。
【手続補正２】
【補正対象書類名】明細書
【補正対象項目名】０００５
【補正方法】変更
【補正の内容】
【０００５】
（１）  請求項１の発明によるシャッタ装置は、撮影開口を有し、前面と後面と有する基板と、撮影開口を遮光または開放するシャッタ羽根群と、撮像素子の前方に配設される光学部材よりも前方に配設され、撮影開口に対応する開口部を有し、基板の後面との間でシャッタ羽根群を挟むように基板に対して取り付けられる、前面と後面とを有する後カバーと、後カバーの開口部の内側に突出するように後カバーの後面に取り付けられた薄板状の反射防止部材とを備え、反射防止部材は、光学部材から後カバーおよび基板に向かう反射光を遮光および吸収することによって反射光が再度光学部材へ向かって反射されることを防止することを特徴とする。
（２）  請求項２の発明は、請求項１に記載のシャッタ装置において、反射防止部材は、表面に反射防止処理が施された金属製の薄板であることを特徴とする。
（３）  請求項３の発明は、請求項１または請求項２に記載のシャッタ装置において、開口部は略長方形形状を呈し、反射防止部材は、少なくとも開口部の長辺側に取り付けられていることを特徴とする。
（４）  請求項４の発明は、請求項１〜３のいずれか一項に記載のシャッタ装置において、後カバーの後面には、周囲の面よりも後カバーの前面側に向かって凹んでいる凹部が設けられ、反射防止部材は、凹部に取り付けられていることを特徴とする。
（５）  請求項５の発明は、請求項１〜４のいずれか一項に記載のシャッタ装置において、基板は、撮影開口の内側に向かうにつれて基板の後面から前面に向かうように傾斜する第１の傾斜面を有し、第１の傾斜面と基板の前面とが交差する第１のエッジ部によって撮影開口を形成し、反射防止部材は、光学部材から第１の傾斜面に向かう反射光を遮光および吸収することによって反射光が再度光学部材へ向かって反射されることを防止することを特徴とする。
（６）  請求項６の発明は、請求項１〜５のいずれか一項に記載のシャッタ装置において、後カバーは、開口部の内側に向かうにつれて後カバーの後面から前面に向かうように傾斜する第２の傾斜面を有し、第２の傾斜面と後カバーの前面とが交差する第２のエッジ部によって開口部を形成し、反射防止部材は、光学部材から第２の傾斜面に向かう反射光を遮光および吸収することによって反射光が再度光学部材へ向かって反射されることを防止することを特徴とする。
（７）  請求項７の発明による撮像装置は、撮像素子と、撮像素子の前方に設けられる光学部材と、光学部材の前方に設けられて、被写体からの光を撮像素子に導く撮影開口を有する基板と、撮影開口を遮光または開放するシャッタ羽根群と、撮影開口に対応する開口部を有し、基板の撮像素子側の面との間でシャッタ羽根群を挟むように基板に対して取り付けられる後カバーと、後カバーの開口部の内側に突出するように後カバーの光学部材と対向する側の面に取り付けられた薄板状の反射防止部材とを備え、反射防止部材は、光学部材から後カバーおよび基板に向かう反射光を遮光および吸収することによって反射光が再度光学部材へ向かって反射されることを防止することを特徴とする。
【手続補正３】
【補正対象書類名】明細書
【補正対象項目名】００３２
【補正方法】変更
【補正の内容】
【００３２】
なお、本発明は、上述した実施の形態のものに何ら限定されず、撮影開口を有し、前面と後面と有する基板と、撮影開口を遮光または開放するシャッタ羽根群と、撮像素子の前方に配設される光学部材よりも前方に配設され、撮影開口に対応する開口部を有し、基板の後面との間でシャッタ羽根群を挟むように基板に対して取り付けられる、前面と後面とを有する後カバーと、後カバーの開口部の内側に突出するように後カバーの後面に取り付けられた薄板状の反射防止部材とを備え、反射防止部材は、光学部材から後カバーおよび基板に向かう反射光を遮光および吸収することによって反射光が再度光学部材へ向かって反射されることを防止することを特徴とする各種構造のシャッタ装置や撮像装置を含むものである。